(57)【要約】  【課題】水処理に用いる電極を効果的に洗浄する。  【解決手段】定期的に、洗浄用水供給路１２を介して処理槽１内に洗浄用水を供給し、その洗浄用水に薬剤供給路１４を介して薬剤を供給するとともに、冷却水流量調整弁１１の開放量を調整することにより、熱交換器９に供給される冷却水の流量を水処理時よりも減少させ、処理槽１内の洗浄用水（薬剤が供給された洗浄用水）の温度を上昇させて、電極５，６の洗浄処理を行なう。  【効果】処理槽１内の洗浄用水の温度を上昇させて洗浄処理を行なうことにより、薬剤による電極５，６の洗浄効果を高めることができる。熱交換器９に供給される冷却水の流量を水処理時よりも減少させるだけで、特別な機構を別途設ける必要がない。【選択図】        図１
2006263608.tif 000002
【特許請求の範囲】
【請求項１】
水を貯めることができる処理槽と、
上記処理槽内に配置され、上記処理槽内の水を電気分解するために通電される電極と、
上記処理槽内の水を循環させるための循環路と、
上記循環路内を流れる水に対して熱交換を行なうための熱交換器と、
上記熱交換器に熱交換のための冷却水を供給する冷却水供給手段と、
上記電極に通電を行なうとともに、上記処理槽内の水を上記循環路に循環させることにより、その水を上記熱交換器で冷却しつつ電気分解による水処理を行なう水処理手段と、
上記循環路内を流れる水の流量、または、上記冷却水供給手段により上記熱交換器に供給される冷却水の流量が、上記水処理時よりも減少された処理を行なうことにより、上記処理槽内の水の温度を上昇させて、上記電極の洗浄処理を行なう洗浄処理手段と、
上記洗浄処理が行なわれる際に、上記処理槽内に、上記電極を洗浄するための薬剤を供給する薬剤供給手段とを備えることを特徴とする水処理装置。
【請求項２】
上記洗浄処理用の水を上記処理槽内に供給するための洗浄用水供給手段をさらに備えることを特徴とする請求項１記載の水処理装置。
【請求項３】
上記処理槽内の上記水処理が行なわれた水を排水するための処理水排水手段と、
上記洗浄用水供給手段により上記処理槽内に供給された上記洗浄処理用の水を、上記洗浄処理後に上記処理槽内から排水するための洗浄用水排水手段とをさらに備えることを特徴とする請求項２記載の水処理装置。
【請求項４】
上記処理槽内の水の温度を測定するための温度測定手段をさらに備えることを特徴とする請求項１〜３のいずれかに記載の水処理装置。
【請求項５】
上記薬剤供給手段は、上記処理槽内に、酸を供給することを特徴とする請求項１〜４のいずれかに記載の水処理装置。
【請求項６】
上記処理槽内の水のｐＨを測定するｐＨ測定手段をさらに備えることを特徴とする請求項５記載の水処理装置。
【請求項７】
上記水処理手段は、上記処理槽内の水を電気分解することにより、その水に含まれる窒素成分を除去することを特徴とする請求項１〜６のいずれかに記載の水処理装置。
【発明の詳細な説明】
【技術分野】
【０００１】
この発明は、汚水などの被処理水に対して水処理を行なうための水処理装置に関する。
【背景技術】
【０００２】
従来より、家庭から出る洗濯排水や風呂排水などの生活排水、工場から排水される事業場排水といった汚水に対して、電気分解による水処理を行なう水処理装置が知られている（たとえば、特許文献１参照）。この種の水処理装置には、たとえば、被処理水を貯めるための処理槽と、この処理槽内の被処理水を電気分解するために通電される１対の電極（アノードおよびカソード）とが備えられている。
【０００３】
被処理水に含まれる窒素成分を除去することができる水処理装置では、たとえば、アノードが、白金やイリジウムなどにより形成され、カソードが、銅や亜鉛などにより形成される。この種の水処理装置では、アノードおよびカソードが異なる材料で形成されるので、通常、アノードおよびカソードが同じ材料で形成された構成を有する水処理装置において行なわれるような、水処理時にアノードおよびカソードに印加する電圧の極性を切り替えることにより電極に析出したスケールを除去するといった処理は行なわれない。
【特許文献１】特開２００２−２４８４７３号公報
【発明の開示】
【発明が解決しようとする課題】
【０００４】
上記のように、アノードおよびカソードに印加する電圧の極性を切り替えることなく水処理を行なうような水処理装置では、時間の経過とともに電極に析出するスケールに起因して、電極間に短絡が生じたり、水処理の効率が低下するといった問題がある。
そこで、電極に析出したスケールを除去するために、定期的に、電極を洗浄するための薬剤を処理槽内に供給し、薬剤の作用によって電極を洗浄するといった作業が行なわれている。
【０００５】
この発明は、かかる背景のもとでなされたもので、水処理に用いる電極を効果的に洗浄することができる水処理装置を提供することを目的とする。
【課題を解決するための手段】
【０００６】
上記目的を達成するための請求項１記載の発明は、水を貯めることができる処理槽（１）と、上記処理槽内に配置され、上記処理槽内の水を電気分解するために通電される電極（５，６）と、上記処理槽内の水を循環させるための循環路（７）と、上記循環路内を流れる水に対して熱交換を行なうための熱交換器（９）と、上記熱交換器に熱交換のための冷却水を供給する冷却水供給手段（１０）と、上記電極に通電を行なうとともに、上記処理槽内の水を上記循環路に循環させることにより、その水を上記熱交換器で冷却しつつ電気分解による水処理を行なう水処理手段（２３）と、上記循環路内を流れる水の流量、または、上記冷却水供給手段により上記熱交換器に供給される冷却水の流量が、上記水処理時よりも減少された処理を行なうことにより、上記処理槽内の水の温度を上昇させて、上記電極の洗浄処理を行なう洗浄処理手段（２３）と、上記洗浄処理が行なわれる際に、上記処理槽内に、上記電極を洗浄するための薬剤を供給する薬剤供給手段（１４，１５，１６）とを備えることを特徴とする水処理装置である。
【０００７】
なお、括弧内の英数字は、後述の実施形態における対応構成要素を表す。以下、この項において同じ。
この構成によれば、電極に通電を行なうとともに、処理槽内の水を循環路に循環させることにより、その水を熱交換器で冷却しつつ電気分解による水処理を行なうことができる。そして、定期的に、薬剤供給手段により処理槽内に薬剤を供給し、循環路内を流れる水の流量、または、冷却水供給手段により熱交換器に供給される冷却水の流量が、水処理時よりも減少された処理を行なうことにより、処理槽内の水（薬剤が供給された水）の温度を上昇させて、電極の洗浄処理を行なうことができる。処理槽内の水の温度を上昇させて洗浄処理を行なうことにより、薬剤による電極の洗浄効果を高めることができるので、電極を効果的に洗浄することができる。
【０００８】
また、洗浄処理時には、循環路内を流れる水の流量を水処理時よりも減少させ、または、熱交換器に供給される冷却水の流量を水処理時よりも減少させるだけで、特別な機構を別途設けることなく、電極を効果的に洗浄することができる。
さらに、洗浄処理時には、循環路内を流れる水の流量を水処理時よりも減少させ、または、熱交換器に供給される冷却水の流量を水処理時よりも減少させるだけで、処理槽内の水の温度を上昇させることができるので、ヒータなどの加熱手段を用いて処理槽内の水の温度を上昇させるような構成とは異なり、処理槽内の水の温度を上昇させるための余分なエネルギーを必要としない。
【０００９】
請求項２記載の発明は、上記洗浄処理用の水を上記処理槽（１）内に供給するための洗浄用水供給手段（１２，１３）をさらに備えることを特徴とする請求項１記載の水処理装置である。
この構成によれば、洗浄処理時には、洗浄処理用の水が処理槽内に供給される。したがって、水処理が行なわれた水を用いて洗浄処理が行なわれるような構成とは異なり、水処理が行なわれた水に影響を与えることなく、洗浄処理用の水を用いて、電極を効果的に洗浄することができる。
【００１０】
請求項３記載の発明は、上記処理槽（１）内の上記水処理が行なわれた水を排水するための処理水排水手段（１９，２１）と、上記洗浄用水供給手段（１２，１３）により上記処理槽内に供給された上記洗浄処理用の水を、上記洗浄処理後に上記処理槽内から排水するための洗浄用水排水手段（２０，２２）とをさらに備えることを特徴とする請求項２記載の水処理装置である。
【００１１】
この構成によれば、水処理が行なわれた水は、洗浄処理時に薬剤を混入させることなく、処理水排水手段により河川などに排水し、洗浄処理時に処理槽内に供給された洗浄処理用の水は、洗浄処理終了後に、洗浄用水排水手段により下水道などに排水することができる。したがって、水処理が行なわれた水に薬剤が混入されて河川などに排水されるといったことがなく、環境保護の観点において好適である。
【００１２】
請求項４記載の発明は、上記処理槽（１）内の水の温度を測定するための温度測定手段（１７）をさらに備えることを特徴とする請求項１〜３のいずれかに記載の水処理装置である。
この構成によれば、洗浄処理手段は、温度測定手段により測定した処理槽内の水の温度に基づいて、循環路内を流れる水の流量、または、冷却水供給手段により熱交換器に供給される冷却水の流量を調整することにより、処理槽内の水の温度を、洗浄処理に適した温度にすることができる。したがって、薬剤による電極の洗浄効果をより高めることができるので、電極をさらに効果的に洗浄することができる。
【００１３】
請求項５記載の発明は、上記薬剤供給手段（１４，１５，１６）は、上記処理槽（１）内に、酸を供給することを特徴とする請求項１〜４のいずれかに記載の水処理装置である。
この構成によれば、安価で入手が容易な酸を薬剤として用いて、電極の洗浄処理を行なうことができる。
【００１４】
請求項６記載の発明は、上記処理槽（１）内の水のｐＨを測定するｐＨ測定手段（１８）をさらに備えることを特徴とする請求項５記載の水処理装置である。
この構成によれば、ｐＨ測定手段により測定した処理槽内の水のｐＨに基づいて、薬剤供給手段により処理槽内に供給する酸の量を調整することにより、処理槽内の水のｐＨを、洗浄処理に適した値にすることができる。したがって、薬剤による電極の洗浄効果をより高めることができるので、電極をさらに効果的に洗浄することができる。
【００１５】
請求項７記載の発明は、上記水処理手段（２３）は、上記処理槽（１）内の水を電気分解することにより、その水に含まれる窒素成分を除去することを特徴とする請求項１〜６のいずれかに記載の水処理装置である。
上記電極は、たとえば、白金やイリジウムなどにより形成されたアノードと、銅や亜鉛などにより形成されたカソードとを含む、少なくとも１対の電極からなる。
【００１６】
このように、処理槽内の水に含まれる窒素成分を除去することができる水処理装置では、アノードおよびカソードが異なる材料で形成されるので、水処理時にアノードおよびカソードに印加する電圧の極性を切り替えることにより電極に析出したスケールを除去するといった処理は行なわれないが、定期的に、薬剤供給手段により処理槽内に薬剤を供給し、循環路内を流れる水の流量、または、冷却水供給手段により熱交換器に供給される冷却水の流量が、水処理時よりも減少された処理を行なうことにより、処理槽内の水（薬剤が供給された水）の温度を上昇させて、電極に析出したスケールを除去することができる。
【００１７】
また、電極を洗浄するための薬剤として酸を用いた場合には、酸性が強いとカソードが溶出するおそれがあるが、循環路内を流れる水の流量、または、冷却水供給手段により熱交換器に供給される冷却水の流量が、水処理時よりも減少された処理を行なうことにより、処理槽内の水の温度を上昇させて洗浄処理を行えば、薬剤による電極の洗浄効果が高まるので、あまり酸性が強くない酸を薬剤として用いた場合でも、電極に析出したスケールを良好に除去することができる。
【発明を実施するための最良の形態】
【００１８】
以下では、この発明の実施の形態を、添付図面を参照して詳細に説明する。
図１は、この発明の一実施形態に係る水処理装置の構成を示すブロック図である。
図１を参照して、この水処理装置は、家庭から出る洗濯排水や風呂排水などの生活排水、工場から排水される事業場排水といった汚水などの被処理水に対して、電気分解による水処理を行なうことにより、被処理水を浄化するためのものであって、被処理水を貯めるための処理槽１を備えている。
【００１９】
処理槽１の上部には、処理槽１内に被処理水を供給するための被処理水供給路２が接続されている。被処理水供給路２には、被処理水供給ポンプ３と、被処理水供給弁４とが、処理槽１側に向かってこの順序で介装されている。被処理水供給弁４が開かれた状態で被処理水供給ポンプ３が駆動されることにより、被処理水供給路２を介して処理槽１内に被処理水が供給される。
【００２０】
処理槽１内には、１対の電極（アノード５およびカソード６）が配置されている。アノード５は、たとえば、白金やイリジウムなどの貴金属系の材料により形成されている。一方、カソード６は、たとえば、銅や亜鉛などの非貴金属系であって、周期表の第Ｉｂ族や第ＩＩｂ族に属する材料により形成されている。被処理水として窒素成分を含む汚水が処理槽１内に貯められた状態で、アノード５およびカソード６に対して通電が行なわれ、電気分解による水処理が行なわれた場合には、アノード５側およびカソード６側において、下記のような電気化学反応が起こる。
【００２１】
すなわち、カソード６側では、被処理水中に含まれる硝酸イオンが、還元反応により亜硝酸イオンに変換されるとともに、硝酸イオンの還元反応により生成された亜硝酸イオンは、さらに、還元反応により、アンモニアに変換される。また、アノード５側では、アノード５の表面から活性酸素が発生し、被処理水中におけるアンモニアの脱窒作用により、窒素ガスが生成される。これにより、被処理水に含まれる硝酸態窒素、亜硝酸態窒素およびアンモニア態窒素などの窒素成分が除去され、被処理水が浄化される。
（カソード側）
ＮＯ３−＋Ｈ２Ｏ＋２ｅ−→ＮＯ２−＋２ＯＨ−
ＮＯ２−＋５Ｈ２Ｏ＋６ｅ−→ＮＨ３（ａｑ）＋７ＯＨ−
（アノード側）
ＮＨ３（ａｑ）＋３（Ｏ）→Ｎ２↑＋３Ｈ２Ｏ
水処理中は、電極５，６に通電が行なわれることにより生じるジュール熱で、処理槽１内の被処理水が加熱され、被処理水の温度が上昇する。
【００２２】
水処理中、処理槽１内の被処理水は、循環路７内に循環される。循環路７は、その入口側の端部が処理槽１内の下部に連通し、出口側の端部が処理槽１内の上部に連通している。循環路７には、循環ポンプ８が介装されており、この循環ポンプ８が駆動されることにより、処理槽１内の被処理水が、矢印で示すように循環路７内を循環する。
循環路７における循環ポンプ８よりも下流側には、循環路７を流れる被処理水に対して熱交換を行なうための熱交換器９が配置されている。熱交換器９には、冷却水供給路１０を介して熱交換のための冷却水が供給され、熱交換器９において、循環路７を流れる被処理水と冷却水供給路１０を流れる冷却水との間で熱交換が行なわれることにより、被処理水が冷却される。これにより、電極５，６への通電により加熱された被処理水を冷却して、好適な温度で水処理を行なうことができる。冷却水供給路１０における熱交換器９よりも上流側には、冷却水の流量を調整するための冷却水流量調整弁１１が介装されている。
【００２３】
この実施形態のように、処理槽１内の水に含まれる窒素成分を除去することができる水処理装置では、アノード５およびカソード６が異なる材料で形成されるので、水処理時にアノード５およびカソード６に印加する電圧の極性を切り替えることにより電極５，６に析出したスケールを除去するといった処理を行なうことができず、時間の経過とともに電極５，６にスケールが析出し、その析出したスケールに起因して、電極５，６間に短絡が生じたり、水処理の効率が低下するといった問題がある。
【００２４】
そこで、この実施形態では、定期的（たとえば、１ヶ月ごと）に、処理槽１内の水処理が行なわれた水（処理水）を排水し、電極５，６を洗浄するための水（洗浄用水）を処理槽１内に供給して、電極５，６を洗浄するための洗浄処理が行なわれる。
処理槽１の上部には、処理槽１内に洗浄用水（たとえば、水道水）を供給するための洗浄用水供給路１２が接続されている。洗浄用水供給路１２には、洗浄用水供給弁１３が介装されており、この洗浄用水供給弁１３が開かれることにより、洗浄用水供給路１２を介して処理槽１内に洗浄用水が供給される。
【００２５】
洗浄処理が行なわれる際には、電極５，６を洗浄するための薬剤として、たとえば、硫酸、塩酸、酢酸などの安価で入手が容易な酸が、処理槽１内に供給される。処理槽１の上部には、処理槽１内に薬剤を供給するための薬剤供給路１４の一端部が接続されている。薬剤供給路１４の他端部は、薬剤が収容されている薬剤収容部１５に接続されている。薬剤供給路１４には、薬剤供給ポンプ１６が介装されており、この薬剤供給ポンプ１６が駆動されることにより、薬剤供給路１４を介して処理槽１内に薬剤が供給される。これにより、洗浄処理時には、薬剤が溶け込んだ酸性の洗浄用水を用いて、電極５，６が洗浄される。
【００２６】
処理槽１内には、水処理時に処理槽１内に貯められる被処理水および洗浄処理時に処理槽１内に貯められる洗浄用水の温度を測定するための温度センサ１７と、洗浄処理時に処理槽１内に貯められる薬剤が溶け込んだ酸性の洗浄用水のｐＨを測定するためのｐＨセンサ１８とが配置されている。
処理槽１の底部には、水処理が行なわれた後の処理槽１内の処理水を排水するための処理水排水路１９と、洗浄処理が行なわれた後の処理槽１内の洗浄用水を排水するための洗浄用水排水路２０とが接続されている。処理水排水路１９には、処理水排水弁２１が介装されており、この処理水排水弁２１が開かれることにより、処理槽１内の処理水が、処理水排水路１９を介して河川などに排水される。一方、洗浄用水排水路２０には、洗浄用水排水弁２２が介装されており、この洗浄用水排水弁２２が開かれることにより、処理槽１内の洗浄用水が、洗浄用水排水路２０を介して下水道などに排水される。
【００２７】
この水処理装置には、マイクロコンピュータを含む制御部２３が備えられている。制御部２３には、被処理水供給ポンプ３、被処理水供給弁４、アノード５、カソード６、循環ポンプ８、熱交換器９、冷却水流量調整弁１１、洗浄用水供給弁１３、薬剤供給ポンプ１６、温度センサ１７、ｐＨセンサ１８、処理水排水弁２１および洗浄用水排水弁２２が電気的に接続されている。制御部２３は、温度センサ１７やｐＨセンサ１８からの入力信号などに基づいて、被処理水供給ポンプ３、被処理水供給弁４、アノード５、カソード６、循環ポンプ８、熱交換器９、冷却水流量調整弁１１、洗浄用水供給弁１３、薬剤供給ポンプ１６、処理水排水弁２１および洗浄用水排水弁２２の駆動を制御する。
【００２８】
図２は、この水処理装置における制御部２３の制御内容の一例を示すフローチャートである。
図２を参照して、この水処理装置が稼動されると、制御部２３は、まず、被処理水供給弁４を開くとともに、被処理水供給ポンプ３を駆動させることにより、被処理水供給路２を介して処理槽１内に被処理水を供給し、処理槽１内に所定量の被処理水を貯める（ステップＳ１）。
【００２９】
その後、制御部２３は、電極５，６に対する通電を開始させるとともに（ステップＳ２）、循環ポンプ８を駆動させて処理槽１内の被処理水を循環路７に循環させることにより（ステップＳ３）、処理槽１内の被処理水に対して、電気分解による水処理を行なう。このとき、制御部２３は、冷却水流量調整弁１１を開いて熱交換器９を駆動させることにより、循環路７内を流れる被処理水を冷却する（ステップＳ４）。
【００３０】
この水処理装置は、いわゆるバッチ式の水処理装置であって、処理槽１内に被処理水が貯められた状態で所定の電解時間だけ水処理が行なわれると、処理水排水弁２１が開かれることにより、処理水排水路１９を介して処理水が河川などに一旦排水され、再び、処理槽１内に被処理水が貯められて水処理が行なわれる。より具体的には、所定の電解時間が経過すると（ステップＳ２４でＹＥＳ）、制御部２３は、電極５，６に対する通電を停止させるとともに（ステップＳ２５）、循環ポンプ８の駆動を停止させて循環路７への被処理水の循環を停止させることにより（ステップＳ２６）、水処理を終了する。そして、制御部２３は、処理水排水弁２１を開くことにより、処理水排水路１９を介して、処理槽１内の処理水を河川などに排水した後（ステップＳ２７）、再び被処理水供給弁４を開くとともに、被処理水供給ポンプ３を駆動させることにより、被処理水供給路２を介して処理槽１内に被処理水を供給し、処理槽１内に所定量の被処理水を貯める（ステップＳ１）。
【００３１】
このようにして水処理が１ヶ月間行なわれ（ステップＳ５でＹＥＳ）、所定の電解時間が経過すると（ステップＳ６でＹＥＳ）、制御部２３は、電極５，６に対する通電を停止させるとともに（ステップＳ７）、循環ポンプ８の駆動を停止させて循環路７への被処理水の循環を停止させることにより（ステップＳ８）、水処理を終了する。そして、制御部２３は、処理水排水弁２１を開くことにより、処理水排水路１９を介して、処理槽１内の処理水を河川などに排水する（ステップＳ９）。
【００３２】
その後、制御部２３は、洗浄用水供給弁１３を開くことにより、洗浄用水供給路１２を介して処理槽１内に洗浄用水を供給し、処理槽１内に所定量の洗浄用水を貯める（ステップＳ１０）。そして、制御部２３は、ｐＨセンサ１８により測定される洗浄用水のｐＨが「４」以下になるまで（ステップＳ１２でＹＥＳとなるまで）、薬剤供給ポンプ１６を駆動させることにより、薬剤収容部１５内の薬剤を、薬剤供給路１４を介して処理槽１内に供給する。
【００３３】
処理槽１内の洗浄用水のｐＨが「４」以下になると（ステップＳ１２でＹＥＳ）、制御部２３は、薬剤の供給を停止し、冷却水流量調整弁１１を完全に閉じた状態（全閉）とした後（ステップＳ１３）、電極５，６に対する通電を開始させるとともに（ステップＳ１４）、循環ポンプ８を駆動させて処理槽１内の洗浄用水を循環路７に循環させることにより（ステップＳ１５）、処理槽１内の電極５，６に対する洗浄処理を行なう。
【００３４】
このように、冷却水流量調整弁１１を全閉とした状態で、電極５，６に対する通電を行なうと、処理槽１内の洗浄用水は、電極５，６に通電が行なわれることにより生じるジュール熱で加熱される一方、熱交換器９に冷却水が供給されないので、洗浄用水は熱交換器９により冷却されず、洗浄用水の温度が上昇する。
洗浄処理は、一定時間（たとえば、１時間）だけ行なわれる。洗浄処理が行なわれている間に、温度センサ１７により測定される処理槽１内の洗浄用水の温度が５０℃以上になった場合には（ステップＳ２０でＹＥＳ）、制御部２３は、冷却水流量調整弁１１を完全に開いた状態（全開）とすることにより、熱交換器９に冷却水を供給し、洗浄用水を熱交換器９により冷却して、洗浄用水の温度を低下させる（ステップＳ２１）。そして、この状態が維持されることにより、温度センサ１７により測定される処理槽１内の洗浄用水の温度が４５℃以下になった場合には（ステップＳ２２でＹＥＳ）、制御部２３は、冷却水流量調整弁１１を全閉とすることにより、熱交換器９への冷却水の供給を停止し、洗浄用水の温度を再び上昇させる（ステップＳ２３）。このようにして、洗浄処理中は、処理槽１内の洗浄用水の温度が４５℃〜５０℃の温度範囲に保たれ、電極５，６に析出したスケールが良好に除去される。
【００３５】
洗浄処理を１時間行なった後（ステップＳ１６でＹＥＳ）、制御部２３は、電極５，６に対する通電を停止させるとともに（ステップＳ１７）、循環ポンプ８の駆動を停止させて循環路７への洗浄用水の循環を停止させることにより（ステップＳ１８）、洗浄処理を終了する。そして、制御部２３は、洗浄用水排水弁２２を開くことにより、洗浄用水排水路２０を介して、処理槽１内の洗浄用水を下水道などに排水する（ステップＳ１９）。
【００３６】
その後、制御部２３は、被処理水供給弁４を開くとともに、被処理水供給ポンプ３を駆動させることにより、被処理水供給路２を介して処理槽１内に被処理水を供給し（ステップＳ１）、再び水処理を行なう。
この実施形態では、電極５，６に通電を行なうとともに、処理槽１内の被処理水を循環路７に循環させることにより、その被処理水を熱交換器９で冷却しつつ電気分解による水処理を行なうことができる。そして、定期的に、処理槽１内に洗浄用水を供給するとともに、その洗浄用水に薬剤を供給し、熱交換器９に供給される冷却水の流量が水処理時よりも減少された処理を行なうことにより、処理槽１内の洗浄用水（薬剤が供給された洗浄用水）の温度を上昇させて、電極５，６の洗浄処理を行なうことができる。処理槽１内の洗浄用水の温度を上昇させて洗浄処理を行なうことにより、薬剤による電極５，６の洗浄効果を高めることができるので、電極５，６を効果的に洗浄することができる。
【００３７】
また、洗浄処理時には、熱交換器９に供給される冷却水の流量を水処理時よりも減少させるだけで、特別な機構を別途設けることなく、電極５，６を効果的に洗浄することができる。
さらに、洗浄処理時には、熱交換器９に供給される冷却水の流量を水処理時よりも減少させるだけで、処理槽１内の洗浄用水の温度を上昇させることができるので、ヒータなどの加熱手段を用いて処理槽１内の洗浄用水の温度を上昇させるような構成とは異なり、処理槽１内の洗浄用水の温度を上昇させるための余分なエネルギーを必要としない。
【００３８】
ただし、洗浄処理時には、冷却水流量調整弁１１が全閉とされることにより、熱交換器９に冷却水が全く供給されなくなるような構成に限らず、冷却水流量調整弁１１が、水処理時よりも小さい開放量で開かれた状態とされることにより、熱交換器９に供給される冷却水の流量が水処理時よりも減少されるような構成であってもよい。
また、この実施形態では、洗浄処理時には、処理水が処理槽１内から排水され、洗浄用水が処理槽１内に供給される。したがって、処理水を用いて洗浄処理が行なわれるような構成とは異なり、被処理水に影響を与えることなく、洗浄用水を用いて、電極５，６を効果的に洗浄することができる。
【００３９】
特に、処理水は、洗浄処理時に薬剤を混入させることなく、処理水排水路１９を介して河川などに排水し、洗浄用水は、洗浄処理終了後に、洗浄用水排水路２０を介して下水道などに排水することができる。したがって、処理水に薬剤が混入されて河川などに排水されるといったことがなく、環境保護の観点において好適である。
また、洗浄処理時には、温度センサ１７により測定した処理槽１内の洗浄用水の温度に基づいて、熱交換器９に供給される冷却水の流量を調整することにより、処理槽１内の洗浄用水の温度を、洗浄処理に適した温度にすることができる。したがって、薬剤による電極５，６の洗浄効果をより高めることができるので、電極５，６をさらに効果的に洗浄することができる。
【００４０】
また、洗浄処理時には、ｐＨセンサ１８により測定した処理槽１内の洗浄用水のｐＨに基づいて、薬剤供給路１４を介して処理槽１内に供給する酸の量を調整することにより、処理槽１内の洗浄用水のｐＨを、洗浄処理に適した値にすることができる。したがって、薬剤による電極５，６の洗浄効果をより高めることができるので、電極５，６をさらに効果的に洗浄することができる。
【００４１】
また、電極５，６を洗浄するための薬剤として酸を用いた場合には、酸性が強いとカソード６が溶出するおそれがあるが、熱交換器９に供給される冷却水の流量を水処理時よりも減少させることにより、処理槽１内の洗浄用水の温度を上昇させて洗浄処理を行えば、薬剤による電極５，６の洗浄効果が高まるので、あまり酸性が強くない酸を薬剤として用いた場合でも、電極５，６に析出したスケールを良好に除去することができる。
【００４２】
図３は、水処理装置の変形例を示すブロック図である。
図３を参照して、この変形例に係る水処理装置では、上記実施形態のように、冷却水の流量を調整するための冷却水流量調整弁１１が冷却水供給路１０に介装された構成とは異なり、循環路７を流れる水の流量を調整するための循環流量調整弁２４が循環路７（の熱交換器９よりも上流側）に介装されている。この点を除けば、この変形例に係る水処理装置は、上記実施形態に係る水処理装置と同様の構成を有しているので、以下では、上記実施形態と同様の構成については、図に同一符号を付して、その説明を省略することとする。
【００４３】
この変形例では、洗浄処理時において、上記実施形態に係る水処理装置のように、冷却水流量調整弁１１の開放量が調整されることにより、熱交換器９に供給される冷却水の流量が水処理時よりも減少されるのではなく、循環流量調整弁２４の開放量が調整されることにより、循環路７内を流れる洗浄用水の流量が、水処理時に循環路７内を流れる被処理水の流量よりも減少され、処理槽１内の洗浄用水（薬剤が供給された洗浄用水）の温度が上昇する。
【００４４】
このような構成であっても、処理槽１内の洗浄用水の温度を上昇させて洗浄処理を行なうことにより、薬剤による電極５，６の洗浄効果を高めることができるので、電極５，６を効果的に洗浄することができる。
また、洗浄処理時には、循環路７内を流れる洗浄用水の流量を、水処理時に循環路７内を流れる被処理水の流量よりも減少させるだけで、特別な機構を別途設けることなく、電極５，６を効果的に洗浄することができる。
【００４５】
さらに、洗浄処理時には、循環路７内を流れる洗浄用水の流量を、水処理時に循環路７内を流れる被処理水の流量よりも減少させるだけで、処理槽１内の洗浄用水の温度を上昇させることができるので、ヒータなどの加熱手段を用いて処理槽１内の洗浄用水の温度を上昇させるような構成とは異なり、処理槽１内の洗浄用水の温度を上昇させるための余分なエネルギーを必要としない。
【００４６】
洗浄処理時には、循環流量調整弁２４が完全に閉じられることにより、循環路７内に洗浄用水が全く循環されなくなるような構成であってもよいし、循環流量調整弁２４が、水処理時よりも小さい開放量で開かれた状態とされることにより、循環路７内を流れる洗浄用水の流量が、水処理時に循環路７内を流れる被処理水の流量よりも減少されるような構成であってもよい。
【００４７】
この発明は、以上の実施形態の内容に限定されるものではなく、請求項記載の範囲内において種々の変更が可能である。
たとえば、処理槽１内に配置される電極は、アノード５およびカソード６をそれぞれ少なくとも１つ備えた構成であれば、１対の電極に限らず、３つ以上の電極を備えた構成であってもよい。
【００４８】
また、上記実施形態および変形例においては、水処理装置の一例として、バッチ式の水処理装置について説明したが、この発明は、バッチ式の水処理装置に限らず、処理槽１内に一定量の被処理水が常時貯められた状態で使用され、処理槽１内に流入した被処理水の量だけ、処理槽１内から処理水が流出するような、いわゆる連続式の水処理装置にも適用可能である。
【図面の簡単な説明】
【００４９】
【図１】この発明の一実施形態に係る水処理装置の構成を示すブロック図である。
【図２】この水処理装置における制御部の制御内容の一例を示すフローチャートである。
【図３】水処理装置の変形例を示すブロック図である。
【符号の説明】
【００５０】
１  処理槽
５  アノード
６  カソード
７  循環路
９  熱交換器
１０  冷却水供給路
１２  洗浄用水供給路
１３  洗浄用水供給弁
１４  薬剤供給路
１５  薬剤収容部
１６  薬剤供給ポンプ
１７  温度センサ
１８  ｐＨセンサ
１９  処理水排水路
２０  洗浄用水排水路
２１  処理水排水弁
２２  洗浄用水排水弁
２３  制御部
【図１】
2006263608.tif 000003
【図２】
2006263608.tif 000004
【図３】
2006263608.tif 000005